(57)【要約】      （修正有）【課題】前方や後方、側面からの光を確実に反射できるスポークリフレクターを提供する。【解決手段】スポークリフレクターは、表面に反射材２を設けた軟質材のシートを筒形状に形成した本体１を有すると共に本体の周方向に略半周の溝３を設け、溝幅はスポーク径より小さく且つその両端に穴部４が設けられる。穴部の直径は、スポーク径より大きくする。軟質材からなる本体１に力を加えて溝３を広げて穴部４にスポークＳを入れると、本体がスポークに装着される。本体は筒形状であり且つ車輪と共に回転するので、あらゆる方向からの光を反射する。特に、穴部の直径をスポーク径より大きくすると、本体がスポークを中心に回転するので、更に反射範囲が広がる。【選択図】図４
0003204445.tif 000002
【実用新案登録請求の範囲】
【請求項１】
表面に反射材を設けた軟質材のシートを筒形状に形成した本体を有すると共に当該本体の周方向に略半周の溝を設け、当該溝の溝幅はスポーク径より小さく且つその両端に穴部が設けられたことを特徴とするスポークリフレクター
【請求項２】
前記穴部の直径は、スポーク径より大きいことを特徴とする請求項１に記載のスポークリフレクター
【考案の詳細な説明】
【技術分野】
【０００１】
本考案は、自転車の車輪のスポークに装着するスポークリフレクターに関するものである。
【背景技術】
【０００２】
従来から、特許文献１に記載されているようなスポークリフレクターが知られている。このスポークリフレクターは、スポークの間に取り付けられ、全体が板状体からなり且つその両面に反射材が設けられた構成である。このスポークリフレクターは、スポークを嵌合する係合溝にスポークを入れた状態で当該スポークを押え片により閉鎖して固定する。また、自動点灯装置が設けられ、夜間の視認性を高めている。
【先行技術文献】
【特許文献】
【０００３】
【特許文献１】特願平１１−３１６０７７号公報
【考案の概要】
【考案が解決しようとする課題】
【０００４】
しかしながら、上記従来のスポークリフレクターは、スポークの間に設けた板状構造のため、自転車の横方向からの光を反射することになるため、自転車の前方や後方からの光を反射できないという問題点があった。また、自動点灯装置を設けるとコストが上がり、バッテリ交換等のメンテナンスが必要になるという問題点があった。本考案は、係る問題点を解決するためになされたものである。
【課題を解決するための手段】
【０００５】
本考案に係るスポークリフレクターは、表面に反射材を設けた軟質材のシートを筒形状に形成した本体を有すると共に当該本体の周方向に略半周の溝を設け、当該溝の溝幅はスポーク径より小さく且つその両端に穴部が設けられたことを特徴とする。前記穴部の直径は、スポーク径より大きくするのが好ましい。
【０００６】
軟質材からなる本体に力を加えて前記溝を広げて前記穴部にスポークを入れる。このようにすれば、本体をスポークに簡単に装着できる。本体は筒形状であり且つ車輪と共に回転するので、あらゆる方向からの光を反射する。特に、穴部の直径をスポーク径より大きくすると、本体がスポークを中心に回転するので、更に反射範囲が広がる。これにより、自転車の前方や後方、側面からの光を確実に反射できる。また、簡素な構造であるからコストがかからない。
【図面の簡単な説明】
【０００７】
【図１】本考案の実施の形態に係るスポークリフレクターを示す斜視図である。
【図２】図１に示したスポークリフレクターの展開図である。
【図３】反射材を示す断面模式図である。
【図４】スポークリフレクターの使用方法を示す説明図である。
【図５】スポークリフレクターの使用方法を示す説明図である。
【図６】スポークリフレクターの作用を示す説明図である。
【図７】図１に示したスポークリフレクターの変形例を示す斜視図である。
【考案を実施するための形態】
【０００８】
図１は、本考案の実施の形態に係るスポークリフレクターを示す斜視図である。図２は、図１に示したスポークリフレクターの展開図である。このスポークリフレクター１００は、塩化ビニール樹脂シート製の円筒形状をした本体１の表面に反射材２を設け、且つ、当該本体１の中央に周方向の溝３を半周分形成した構成である。
【０００９】
前記反射材２には、実用新案登録第３０９０３４６号に開示されたフィルム材を用いる。この反射材２は、図３（ａ）に示すように、少なくともその厚さが０．３ｍｍ以上の透明な合成樹脂フィルムからなる基材２１の裏側全面に亘って三角錐形で且その再帰反射溝部の平面三辺の長さが０．３乃至０．６ｍｍの範囲の等しい長さで、及び再帰反射頂部までの高さが０．１５乃至０．３ｍｍの範囲の等しい高さの光再帰プリズム２２を加熱加圧成形により一体的に形成した構造である。
【００１０】
前記反射材２は、少なくともその厚さが０．０１ｍｍ以上で且つ透光性を有するとともに適宜に着色若しくは色彩或いは模様が施された合成樹脂フィルム２３が、基材２１の表側面に融着若しくは接着により積層されたものとするのが好ましい。更に、透光率が５０％以上の織物若しくは編物が基材２１の表側面に融着若しくは接着により積層されたものとするのが好ましい。この反射材２は、基材２１（又は合成樹脂フィルム２３）側を本体１に展着する。
【００１１】
また、前記反射材には、図３（ｂ）に示すように、直径が２０μｍ以上１００μｍ以下の球形のガラスビーズを塩化ビニール樹脂シートの表面に多数設けた再帰反射材を用いても良い。この反射材５０は、塩化ビニール樹脂シート１の表面に接着層５１を設け、この接着層５１の上に反射層５２を形成すると共に多数のガラスビーズ５３を配置し、このガラスビーズ５３の上に表面層５４を設けた構成である。なお、表面層５４に着色することで全体をカラー化することができる。例えば本考案では、表面層５４を赤、青、黄又は緑に着色する。また、当該表面層５４を設けることで、耐水性が高まることから、自転車への使用に適したものとなる。更に、再帰反射型の反射材５０を用いることで、光源の方向に対して反射光を返すため、自動車のヘッドライトを当該自動車の運転手に反射できるので、運転手に自転車の存在を気付かせやすい。
【００１２】
前記溝３は、直径が自転車のスポークＳより大きな径を有する穴部４を両端に有する。また、当該溝３の溝幅３ｔは、前記スポークＳの直径より小さい寸法となる。一般的なスポークＳの径は、２．０ｍｍ〜２．３ｍｍであるから、前記穴部４の直径は、２．７ｍｍ以上３．０ｍｍ以下とするのが好ましい。また、溝３の幅は、１．０ｍｍ以上１．５ｍｍ以下とするのが好ましい。また、溝３は、本体１の周方向に半周（５０％）だけ設けたが、本考案において略半周はスポークＳにバランス良く装着できればよいので、略半周（円周の３０％以上７０％以下）で良い。
【００１３】
当該本体１は、図２に示すように、塩化ビニール樹脂シートを丸めてその両端（接合部５）を接合して円筒形状とした構造である。当該接合は、例えば高周ウェルダー加工により行う。前記溝３は、塩化ビニール樹脂シートの外形をプレス形成すると同時に形成する。前記溝３は、本体１の周方向の半周分だけ形成される。このため、本体１の両端の穴部４にスポークＳを通したとき、当該スポークＳが本体１の円筒形状の円中心付近を通ることになる。
【００１４】
図４及び図５は、スポークリフレクターの使用方法を示す説明図である。図４に示すように、本体１の両端を指でつまんで本体１を軸方向に折り曲げるように力を加え（拡げる方向を一点鎖線矢印で示す）、溝３を開く。溝３が開いた状態で当該溝３の中にスポークＳを入れて当該スポークＳを穴部４に位置させる。そして、指を離すと、図５に示すように、溝３が本来の溝３幅の状態に戻る。溝幅３ｔはスポークＳ径より小さいので、穴部４に入ったスポークＳは前記本体１に保持される。
【００１５】
前記穴部４の径はスポークＳの径より多少大きいので、本体１は、スポークＳを中心として回転可能になると共に当該スポークＳに沿って移動可能となる。なお、穴部４とスポークＳとの径を略同じにして、本体１をスポークＳに対してある程度固定状態を保つことができるようにしても良い。このようにしてスポークＳに装着したスポークリフレクター１００は、図６（ａ）に示すように、スポークＳの任意の位置（例えば図中点線円で示す部分）に配置される。また、図６（ｂ）に示すように、スポークリフレクター１００は、車輪ＷのスポークＳに沿って移動可能となり且つスポークＳを中心に回転可能となる。
【００１６】
自転車の走行により車輪Ｗが回転すると、スポークリフレクター１００も車輪Ｗと共に回転する。また、遠心力によりスポークリフレクター１００が車輪ＷのリムＲ側に移動するので、スポークリフレクター１００のハブＨを中心とした回転半径が大きくなり、全体として派手な動きになる。また、風等の影響で本体１がスポークＳを中心に回転する。更に、本体１が円筒形状であることから、光を反射する範囲が極めて広い。このため、前方、後方又は側方からの自動車のヘッドライトの光をどのような方向からでも確実に反射できる。
【００１７】
以上、この考案に係るスポークリフレクター１００によれば、あらゆる方向からの光を確実に反射して自転車の視認性を高め、安全に寄与できる。また、構造が簡単であるため、コストが安い。
【００１８】
また、図７に示すように、本体１の両側端縁１ａを波形のデザインとしても良い。また、図示しないが、波形に限定されず、例えば、鋸形、矩形波形等を採用できる。
【符号の説明】
【００１９】
１００  スポークリフレクター
１  本体
２  反射材
３  溝
４  穴部
Ｓ  スポーク
【図１】
0003204445.tif 000003
【図２】
0003204445.tif 000004
【図３】
0003204445.tif 000005
【図４】
0003204445.tif 000006
【図５】
0003204445.tif 000007
【図６】
0003204445.tif 000008
【図７】
0003204445.tif 000009